(57)【要約】【課題】  本発明は、ハケ部を多段植毛状に形成し、そのハケ部の段差部にヘアカラークリームを保持させることにより、ヘアカラーを頭髪へ容易かつ確実に塗布できるようにしたヘアカラーを塗布するための塗布具に関する。【解決手段】  基台の長手方向に沿って三列のハケ部を隙間のない状態で植設し、このハケ部の中央列ハケ部の高さ寸法を、隣り合う左右列ハケ部の高さ寸法よりも短く形成し、この左右列ハケ部を構成する素材毛には、柔らかく腰が出るように先端部が先鋭状となるテーパーを入れ、中央列ハケ部を構成する素材毛には、柔らかなものを使用することを特徴とするヘアカラーを塗布するための塗布具である。【選択図】  図１
2005110870.tif 000002
【特許請求の範囲】
【請求項１】
基台の長手方向に沿って三列のハケ部を隙間のない状態で植設し、このハケ部の中央列ハケ部の高さ寸法を、隣り合う左右列ハケ部の高さ寸法よりも短く形成し、この左右列ハケ部を構成する素材毛には、柔らかく腰が出るように先端部が先鋭状となるテーパーを入れ、中央列ハケ部を構成する素材毛には、柔らかなものを使用することを特徴とするヘアカラーを塗布するための塗布具。
【請求項２】
基台の長手方向に沿って三列のハケ部を隙間のない状態で植設し、このハケ部の中央列ハケ部の高さ寸法を、隣り合う左右列ハケ部の高さ寸法よりも長く形成し、前記中央列ハケ部を構成する素材毛には、柔らかく腰が出るように先端部が先鋭状となるテーパーを入れ、左右列ハケ部を構成する素材毛には、柔らかなものを使用することを特徴とするヘアカラーを塗布するための塗布具。
【請求項３】
基台の長手方向に柄部を備えてなる請求項１又は２記載のヘアカラーを塗布するための塗布具。
【請求項４】
ハケ部の素材毛を、人毛、獣毛、ナイロン、ポリプロピレン又はポリエチレンの何れかのものとした請求項１乃至３の何れかに記載のヘアカラーを塗布するための塗布具。
【請求項５】
長寸側のハケ部の全高寸法を１５〜２５ｍｍに形成し、短寸側のハケ部の全高寸法を長寸側のものよりも５〜７ｍｍ短くなるように形成してなる請求項１乃至４の何れかに記載のヘアカラーを塗布するための塗布具。
【発明の詳細な説明】
【技術分野】
【０００１】
本発明はヘアカラーを塗布するための塗布具に係り、さらに詳しくはハケ部を多段植毛状に形成し、そのハケ部の段差部にヘアカラークリームを保持させることにより、ヘアカラーを頭髪へ容易かつ確実に塗布できるようにしたヘアカラーを塗布するための塗布具に関する。
【背景技術】
【０００２】
一般的に、ヘアカラーには液状(乳液状を含む)タイプとクリームタイプの二種類があり、そのうちのクリームタイプには、チューブ入りタイプ（混合タイプ）と二連缶入りエアゾールタイプ(混合不要タイプ)との二種がある。
このなかで混合不要タイプのヘアカラーは、通常はノズルの先から絞り出したクリームを混合せずに直接ハケ又はブラシに取り、それを髪に直接塗布して使用することになるので、ハケ又はブラシにクリームを塗布しやすい形態で載せるための工夫が必要であった。
【０００３】
【特許文献１】特開２００２−１４２８５１号公報（図２、図３）
【０００４】
特許文献１のものは、その明細書及び図面の記載から三列のハケ部を隙間のない状態で植設する構成ではないため、中央列とその左右列との高さを異ならせる構成とはなっていなかった。
【発明の開示】
【発明が解決しようとする課題】
【０００５】
このように特許文献１のものは、三列のハケ部を隙間のない状態で植設するものではないことから、ハケ部の中央列とその左右列との高さを異ならせる構成とはなっておらず、そのため三列のハケ部の境目に形成される段差部を二箇所確保してヘアカラーを安定的に載せたり、頭髪の根元部分にヘアカラーを塗布したり、頭部の左右何れ側の頭髪にもムラなく均一にヘアカラーを塗布することが困難となる等の問題点があった。
【０００６】
本発明は、上記の問題点をすべて解消し、使い勝手に優れたヘアカラーを塗布するための塗布具を提供するものである。
【課題を解決するための手段】
【０００７】
上記目的を達成するために請求項１の発明は、基台の長手方向に沿って三列のハケ部を隙間のない状態で植設し、このハケ部の中央列ハケ部の高さ寸法を、隣り合う左右列ハケ部の高さ寸法よりも短く形成し、この左右列ハケ部を構成する素材毛には、柔らかく腰が出るように先端部が先鋭状となるテーパーを入れ、中央列ハケ部を構成する素材毛には、柔らかなものを使用することを特徴とするヘアカラーを塗布するための塗布具である。
【０００８】
請求項２の発明は、基台の長手方向に沿って三列のハケ部を隙間のない状態で植設し、このハケ部の中央列ハケ部の高さ寸法を、隣り合う左右列ハケ部の高さ寸法よりも長く形成し、前記中央列ハケ部を構成する素材毛には、柔らかく腰が出るように先端部が先鋭状となるテーパーを入れ、左右列ハケ部を構成する素材毛には、柔らかなものを使用することを特徴とするヘアカラーを塗布するための塗布具である。
【０００９】
請求項３の発明は、基台の長手方向に柄部を備えてなるヘアカラーを塗布するための塗布具である。
【００１０】
請求項４の発明は、ハケ部の素材毛を、人毛、獣毛、ナイロン、ポリプロピレン又はポリエチレンの何れかのものとしたヘアカラーを塗布するための塗布具である。
【００１１】
請求項５の発明は、長寸側のハケ部の全高寸法を１５〜２５ｍｍに形成し、短寸側のハケ部の全高寸法を長寸側のものよりも５〜７ｍｍ短くなるように形成してなるヘアカラーを塗布するための塗布具である。
【発明の効果】
【００１２】
以上述べたように、請求項１によるヘアカラーを塗布するための塗布具によれば、混合不要タイプのヘアカラーを頭髪に塗布するのに、大変使いやすくなるという効果がある。
【００１３】
請求項２は、頭髪の根元部にヘアカラーをきれいに塗布するのに大変便利なものとなるなどの効果がある。
【００１４】
請求項３は、塗布具としての使用性は一層向上するという効果がある。
【００１５】
請求項４は、ハケ部の素材毛を自由に選択することで、本発明の塗布具を製造する際の、製造をより簡単にでき、使用感に優れた塗布具を容易に得られるなどの効果がある。
【００１６】
請求項５は、混合不要タイプのヘアカラーを短寸側のハケ部に分けとり、頭髪に塗布する際、長寸側のハケ部がテーパー処理されているため、この部分がしなることでヘアカラーが頭髪につきやすく、さらに腰があるため根元内部まで均一に塗布することができるという効果がある。
【発明を実施するための最良の形態】
【００１７】
以下添付図面に基づいて、本発明に係るヘアカラーを塗布するための塗布具の一実施の形態を詳説する。
図１は本発明に係るヘアカラーを塗布するための塗布具の第一実施の形態の斜視図、図２は前図のＡ−Ａ線断面図、図３は前図の要部拡大断面図、図４は本発明に係るヘアカラーを塗布するための塗布具の第二実施の形態の斜視図、図５は前図のＢ−Ｂ線断面図、図６は前図の要部拡大断面図である。
【００１８】
本発明のヘアカラーを塗布するための塗布具１０は、基台１の表面１ａに三列のハケ部２（中央列ハケ部２ａと、その中央列ハケ部と隣り合う左右列ハケ部２ｂ，２ｃとから構成されている）を植設している。
【００１９】
図１に示すものは、中央列ハケ部２ａの高さ寸法を、左右列ハケ部２ｂ，２ｃの高さ寸法よりも短く形成して、図２及び図３に示すようにハケ部が凹型を呈するようにしたものであり、また図４に示すものは、中央列ハケ部２ａの高さ寸法を、左右列ハケ部２ｂ，２ｃの高さ寸法よりも長く形成して、図５及び図６に示すようにハケ部が凸型を呈するようにしたものである。
【００２０】
またこのハケ部２は、三列で隙間のない状態で植設されている。ここで隙間のない状態とは、中央列ハケ部２ａの上面３にヘアカラー１１を載せたり、あるいは中央列ハケ部２ａと左右列ハケ部２ｂ，２ｃとの段差部４にヘアカラー１１を載せたりした際に、そのヘアカラー１１が三列のハケ部間の隙間に落ち込まない程度のハケ部２の植設密度を意味する。このような植設密度を維持することにより、中央列ハケ部２ａの上面３にヘアカラー１１を載せたり、あるいは中央列ハケ部２ａと左右列ハケ部２ｂ，２ｃとの段差部４にヘアカラー１１を載せたりした際に、そのヘアカラー１１は三列のハケ部間の隙間に落ち込まずに、その載置位置に安定的に保持できるようになる。
【００２１】
つぎに、図１に示すように、中央列ハケ部２ａの高さ寸法を、隣り合う左右列ハケ部２ｂ，２ｃの高さ寸法よりも短く形成して、ハケ部の正面形状を凹型に形成している（図２及び図３参照）。
【００２２】
また、図４に示すように、中央列ハケ部２ａの高さ寸法を、隣り合う左右列ハケ部２ｂ，２ｃの高さ寸法よりも長く形成して、ハケ部の正面形状を凸型に形成している（図５及び図６参照）。
【００２３】
さらに、図１及び図４の例において、長く形成される側のハケ部２を構成する素材毛５には、柔らかく腰が出るように先端部が先鋭状となるテーパーを入れているので、大変使い勝手がよいものとなる。
すなわち、凹部の中央または凸部のへこみ部分に付けられたヘアカラーが、このテーパーを入れた毛先（長く形成される側のハケ部に相当）がしなることで頭髪に塗布しやすくなり、かつこの毛先は柔らかいだけでなく腰があるため頭髪の根元内部までムラなく塗布できるようになる。
また短く形成される側のハケ部２を構成する素材毛５には、できるだけ柔らかいものを使用しているので、植毛部分の幅が広くなっても全体の柔軟性が失われず、頭髪に塗布し易いものとなり、大変使い勝手がよいものとなる。
【００２４】
ここで、素材毛５の硬さについて説明する。
測定方法：ＪＩＳ  Ｓ３０１６に準じて測定
測定条件：押し具の押し速さ  １０ｍｍ／ｍｉｎ
測定値  ：デジタル式プッシュプルゲージで読み取るピーク値
テーパーを入れた素材毛（長く形成される側のハケ部）の硬さは、６．０〜７．０Ｎ、短く形成される側のハケ部の素材毛の硬さは、９．０〜１０．０Ｎであり、長短を合わせた場合でも、凸タイプは１０．０〜１３．０Ｎ程度、凹タイプは２０．０〜２３．０Ｎ程度である（データ結果の数値は、ブラシの切りそろえは行わず、植毛した状態での計測値である）。
【００２５】
さらに本発明では、基台１の長手方向に柄部６を備えるようにすれば、塗布具としての使用性は一層向上することになる。その場合、柄部６は基台１に対し一体的に構成されていても、あるいは分解可能に構成されていても、いずれでもかまわない。
【００２６】
また本発明では、各ハケ部２を構成する素材毛５として、人毛、獣毛、ナイロン、ポリプロピレン又はポリエチレンなどを使用し、各素材毛５の硬さやテーパーの条件などは使用用途に応じて自由に設定する。
【００２７】
ついで、本発明では長寸側のハケ部の全高寸法を１５〜２５ｍｍに形成し、短寸側のハケ部の全高寸法を長寸側のものよりも５〜７ｍｍ短く形成することによって、短寸側のハケ部に分けとったヘアカラーが頭髪に塗布しやすく大変使いやすいものとなる。
またハケ部の硬さは上記で示したとおりであるから、混合不要タイプのヘアカラーを短寸側のハケ部に分けとり、頭髪に塗布する際、長寸側のハケ部がテーパー処理されており、この部分がしなることでヘアカラーが頭髪につきやすくなり、さらに腰があるため頭髪の根元内部まで均一に塗布することができるようになる。
【００２８】
さらに本発明では、基台１の裏面１ｂにコーム部７を形成すると、塗布具としての利便性はさらに向上することとなる。
【産業上の利用可能性】
【００２９】
ヘアカラーを塗布するための塗布具を製造する産業、特に化粧品産業界で利用することができる。
【図面の簡単な説明】
【００３０】
【図１】本発明に係るヘアカラーを塗布するための塗布具の第一実施の形態の斜視図である。
【図２】前図のＡ−Ａ線断面図である。
【図３】前図の要部拡大断面図である。
【図４】本発明に係るヘアカラーを塗布するための塗布具の第二実施の形態の斜視図である。
【図５】前図のＢ−Ｂ線断面図である。
【図６】前図の要部拡大断面図である。
【符号の説明】
【００３１】
１…基台
１ａ…基台の表面
１ｂ…基台の裏面
２…ハケ部
２ａ…中央列ハケ部
２ｂ、２ｃ…左右列ハケ部
３…中央列ハケ部の上面
４…段差部
５…素材毛
６…柄部
７…コーム部
１０…塗布具
１１…ヘアカラー
【図１】
2005110870.tif 000003
【図２】
2005110870.tif 000004
【図３】
2005110870.tif 000005
【図４】
2005110870.tif 000006
【図５】
2005110870.tif 000007
【図６】
2005110870.tif 000008